(57)【特許請求の範囲】
【請求項１】
挿入支持具によって着脱自在に支持され複数の固定支持孔を有する金属製の補強部材固定具を電柱の作業開口孔から内部空間内へ挿入し仮支持する挿入支持工程と、
アラミド繊維で作られた上下に長いロッド状の補強部材の途中に、貫通孔を有する保持リングと、その保持リングの内側で前記補強部材の外周に沿ってループ状に掛け回されると共にその両端末が前記貫通孔を介して外へ大きく延長突出した取付け用の針金とを有する取付け手段を嵌挿し、この補強部材を電柱の上方から内部へ降ろしていき前記補強部材固定具の固定支持孔内へ挿入させる補強部材挿入工程と、
補強部材の挿入完了後、作業開口孔から取付け手段を補強部材固定具の固定支持孔に取付ける補強部材取付け工程と、
補強部材取付け完了後、補強部材固定具から挿入支持具を取外す支持具取外し工程と
からなることを特徴とする電柱の補強部材固定支持方法。
【発明の詳細な説明】
【技術分野】
【０００１】
本発明は、内部が空洞に作られた電柱に適する電柱の補強部材固定支持方法に関する。
【背景技術】
【０００２】
電柱は使用目的によってコンクリート製や金属製のものがあり、一般には公共のものが多く、立てた後に定期的な点検を必要とする。
【０００３】
点検時に経年変化によって外周壁面に亀裂や劣化が認められた場合には補強工事が行なわれる。
【０００４】
補強工事の概要は、電柱の内部空間内に、例えば、アラミド繊維で作られた上下に長いロッド状の補強部材を金属製の補強部材固定具を用いて所定の間隔に位置決めした後、その内部空間を、モルタル又はコンクリート等の充填材を注入し充填する手段を採用している。
【特許文献１】特開２００６−２５４４号公報
【発明の開示】
【発明が解決しようとする課題】
【０００５】
電柱を補強する補強部材は、鋼製のものに比べて軽く、しかも、強度に優れているアラミド繊維で作られたものが近年は主流となっている。反面、コンクリート等の充填材より比重が軽いために電柱の内部空間内へ充填材を注入する時に、その充填材の注入量に比例して浮き上がる浮き上りという問題をかかえる。このために、補強部材の浮き上りを抑える手段が採られている。
【０００６】
具体的には、各補強部材の下端部に浮き上り防止用の重りをそれぞれ設けるようにしているが、補強部材と一緒に重りも埋め込んでしまうために１本当り補強部材の単価コストが上昇する問題をかかえる。
【０００７】
そこで、本発明にあっては、補強部材を所定の間隔で位置決めする補強部材固定具に着目し、一緒に埋め込まれる補強部材固定具を重りとして利用し浮き上りを抑えるようにした電柱の補強部材固定支持方法を提供することを目的とする。
【課題を解決するための手段】
【０００８】
前記目的を達成するために、本発明にあっては、挿入支持具によって着脱自在に支持され複数の固定支持孔を有する金属製の補強部材固定具を電柱の作業開口孔から内部空間内へ挿入し仮支持する挿入支持工程と、アラミド繊維で作られた上下に長いロッド状の補強部材の途中に、貫通孔を有する保持リングと、その保持リングの内側で前記補強部材の外周に沿ってループ状に掛け回されると共にその両端末が前記貫通孔を介して外へ大きく延長突出した取付け用の針金とを有する取付け手段を嵌挿し、この補強部材を電柱の上方から内部へ降ろしていき前記補強部材固定具の固定支持孔内へ挿入させる補強部材挿入工程と、補強部材の挿入完了後、作業開口孔から取付け手段を補強部材固定具の固定支持孔に取付ける補強部材取付け工程と、補強部材取付け完了後、補強部材固定具から挿入支持具を取外す支持具取外し工程とからなることを特徴とする。
【発明の効果】
【０００９】
本発明によれば、アラミド繊維で作られた補強部材を取付け手段の取付け用の針金によって補強部材固定具に一体に結合できる。この結果、金属製の補強部材固定具は重りとして作用するため、電柱の内部空間内へモルタル、コンクリート等の充填材を注入する時に補強部材の浮き上りを確実に阻止することができる。
【００１０】
特に、補強部材固定具は補強工事に使用するものをそのまま使用するために、新たにコストがかかることはなく、補強部材１本あたりの単価を軽減することができるようになりコストの面において大変好ましいものとなる。
【発明を実施するための最良の形態】
【００１１】
本発明は、金属製の補強部材固定具に取付け手段を介してアラミド繊維で作られた補強部材を取付ける補強部材固定支持方法に加えて、前記補強部材に設けられた取付け手段を、前記補強部材の途中に嵌挿され貫通孔を有する保持リングと、その保持リングの内側で前記補強部材の外周に沿ってループ状に掛け回されると共にその両端末が前記貫通孔を介して外へ大きく延長突出した取付け用の針金とで構成し、安価で、しかも、針金によって補強部材固定具に対して補強部材を容易に取付けが行なえるようにする。
【実施例】
【００１２】
以下、図１乃至図８の図面を参照しながら本発明の実施形態について具体的に説明する。
【００１３】
図１は本発明にかかる電柱の補強部材固定支持方法の概要説明図を示している。
【００１４】
電柱１は内部が空洞のコンクリート製で、周壁には縦長の作業開口孔３が設けられると共に基端部となる下方は図示していないが一定の領域にわたって土中に埋設されている。電柱１の内部空間５には挿入支持具７によって支持された補強部材固定具９と補強部材１１が配置されている。
【００１５】
補強部材１１は、図２に示すようにアラミド繊維により上下に長いロッドに作られると共に、その途中には安価に作られた保持リング１３と針金１５とかなる取付け手段１７が設けられている。取付け手段１７を設ける位置は、補強部材１１を電柱１の上方から降ろしていき、下端が地表面に接地した時に電柱１の作業開口孔３と対応する位置に設定されている。
【００１６】
保持リング１３は、一方の端部から挿入して使用するもので、補強部材１１の外径より若干径大に作られた合成樹脂製のリング形状となっている。保持リング１３のリング幅となるその中央部位には貫通孔１９が設けられている。
【００１７】
針金１５は、前記補強部材１１の外周に沿ってループ状に掛け回され、その両端末１５ａ，１５ｂは自由端となっていて保持リング１３の貫通孔１９から外へ向かって延長突出し、補強部材固定具９に取付けられている。
【００１８】
補強部材固定具９は、重りとして機能する金属の材質で作られていて、円形に形成されたリング部２１の外周にＵ字状に形成されたロッドによって固定支持孔２３が９０度間隔で４箇所に設けられている。
【００１９】
固定支持孔２３は内部を前記補強部材１１が通ることで、その補強部材１１を４箇所に正しく位置決めするためと、前記針金１５を結びつける取付け部材として機能している。
【００２０】
補強部材固定具９のリング部２１には図３に示すように取付けねじ部２５を有し、その取付けねじ部２５に挿入支持具７のナット部２７を螺合させることで補強部材固定具９の支持が可能となる一方、取付けねじ部２５からナット部２７を取外すことで補強部材固定具９の支持解除が可能となっている。
【００２１】
次に、電柱１に対する補強部材１１の固定支持方法について説明する。
【００２２】
まず、図４に示すように補強部材固定具９を挿入支持具７で支持し、縦向きとして電柱１の作業開口孔３から挿入した後、縦向きの補強部材固定具９を回転させて図５に示すように水平姿勢（実線）に仮支持する。
【００２３】
次に、図６に示すように電柱１の上方から補強部材１１を内部空間５内へ降ろしていき作業開口孔３から手を挿入して固定支持孔２３内を通過させる。次に、地表面に突当るまで補強部材１１を下降させたら、作業開口孔３から手を挿入し、図８に示す如く針金１５を固定支持孔２３に結びつける。この場合、針金１５は、図９に示すように指の先端で巻きつけるようにして取付けるようにしてもよい。
【００２４】
以下、四箇所の固定支持孔２３に補強部材１１を取り付けた後、挿入支持具７を取外すことで、図７に示すように補強部材１１は電柱１の内部空間５内に補強部材固定具９を介して等間隔に固定支持される。
【００２５】
したがって、電柱１の内部空間５内へモルタル又はコンクリート等の充填材を流し込んでも浮き上がることのない確実な固定支持状態が得られる。
【００２６】
この場合、重りとなる補強部材固定具９は補強工事に使用されるものをそのまま利用する手段となるため、補強部材１本あたりの単価コストを軽減できる。
【図面の簡単な説明】
【００２７】
【図１】本発明にかかる電柱の補強部材固定支持方法を示した概要説明図。
【図２】アラミド繊維で作られた補強部材に取付け手段を設けた概要斜視図。
【図３】補強部材固定具と挿入支持具の概要斜視図。
【図４】電柱内へ補強部材固定具を挿入する動作説明図。
【図５】電柱内に補強部材固定具が挿入された挿入完了時の動作説明図。
【図６】電柱内の補強部材固定具の固定支持孔内へ補強部材を通過配置させる動作説明図。
【図７】補強部材固定具の固定支持孔内に補強部材が固定支持された取付け完了状態を示した動作説明図。
【図８】補強部材固定具の固定支持孔に針金を結びつけた状態を示す概要動作説明図。
【図９】補強部材固定具の固定支持孔に針金を巻きつけた状態を示す概要動作説明図。
【符号の説明】
【００２８】
１    電柱
３    作業開口孔
５    内部空間
７    挿入支持具
９    補強部材固定具
１１    補強部材
１３    保持リング
１５    針金
１５ａ    両端末
１７    取付け手段
２３    固定支持孔
【図１】
0004490391.tif 000002
【図２】
0004490391.tif 000003
【図３】
0004490391.tif 000004
【図４】
0004490391.tif 000005
【図５】
0004490391.tif 000006
【図６】
0004490391.tif 000007
【図７】
0004490391.tif 000008
【図８】
0004490391.tif 000009
【図９】
0004490391.tif 000010